(57)【要約】【課題】第１及び第２ディスプレイを備え、開閉による変形が可能な携帯端末において、開状態へと変形した際に、第２ディスプレイに画像を表示させることなるアプリケーションをユーザが速やかに選択できるようにした携帯端末を提供する。【解決手段】携帯端末は、第１筺体に配置された第１ディスプレイの画面全体が視認可能で、かつ前記第１筺体により、第２筐体に配置された前記第２ディスプレイの画面の少なくとも一部が覆われる閉状態から、各ディスプレイの画面全体が視認可能な開状態への変化を検出した際に、当該変化の直前に前記第１ディスプレイに画像を表示させていた第１アプリケーションに関連する１以上の関連アプリケーションの中から、前記第２ディスプレイに画像を表示することとなる第２アプリケーションをユーザに選択させるための選択肢用画像をいずれかのディスプレイに表示させる。【選択図】図３
2013074408.tif 000002
【特許請求の範囲】
【請求項１】
第１ディスプレイが配置された第１筺体と、第２ディスプレイが配置された第２筺体とからなり、各筺体の相対位置が変更自在に構成された携帯端末であって、
前記第１ディスプレイの画面全体が視認可能で、かつ前記第１筺体により前記第２ディスプレイの画面の少なくとも一部が覆われる閉状態から、各ディスプレイの画面全体が視認可能な開状態への変化を検出する検出部と、
前記検出部により前記変化が検出された際に、当該変化の直前に前記第１ディスプレイに画像を表示させていた第１アプリケーションに関連する１以上の関連アプリケーションの中から、前記第２ディスプレイに画像を表示することとなる第２アプリケーションをユーザに選択させるための選択肢用画像をいずれかのディスプレイに表示させる表示制御部とを備える
ことを特徴とする携帯端末。
【請求項２】
前記第２ディスプレイは、タッチパッド付きのディスプレイであり、
前記表示制御部は、前記１以上の関連アプリケーションそれぞれを表す各関連アイコンを前記選択肢用画像として、前記第２ディスプレイに表示させ、
前記携帯端末は、更に
前記タッチパッドへの接触が行われた場合において、当該接触の位置に、いずれかの関連アイコンが表示されているときに、当該関連アイコンが表す前記関連アプリケーションを前記第２アプリケーションとして起動する実行部を備え、
前記表示制御部は、更に、
前記第２アプリケーションが表示しようとする画像を、前記第２ディスプレイに表示させる
ことを特徴とする請求項１記載の携帯端末。
【請求項３】
前記実行部は、更に
前記検出部により前記変化が検出されると、前記１以上の関連アプリケーションの中から、１つの関連アプリケーションを前記第２アプリケーションとして自動的に起動し、
前記表示制御部は、
前記第２アプリケーションが表示しようとする画像の一部分が各関連アイコンにより隠れるように、当該第２アプリケーションが表示しようとする画像を前記第２ディスプレイに表示させる
ことを特徴とする請求項２記載の携帯端末。
【請求項４】
前記表示制御部は、更に
前記第２ディスプレイに表示させていた前記第２アプリケーションを表す関連アイコンを非表示にする
ことを特徴とする請求項２又は３記載の携帯端末。
【請求項５】
前記表示制御部は、更に
前記第２アプリケーションを表す関連アイコンの表示態様を、当該第２アプリケーションの起動の前後で変更する
ことを特徴とする請求項２又は３記載の携帯端末。
【請求項６】
前記第２ディスプレイに画像を表示することとなる前記第２アプリケーションには、前記第１アプリケーションも含まれ、
前記表示制御部は、前記検出部により前記変化が検出されると、各関連アイコンと共に、前記第１アプリケーションを表すアイコンを前記第２ディスプレイに表示させ、前記タッチパッドへの接触が行われた場合において、当該接触の位置に、前記第１アプリケーションを表すアイコンが表示されていたときに、当該第１アプリケーションが表示しようとする画像を、各ディスプレイを用いて表示させる
ことを特徴とする請求項２記載の携帯端末。
【請求項７】
前記表示制御部は、更に
前記検出部により前記変化が検出されると、前記第１アプリケーションが表示させようとする画像の少なくとも一部分が各関連アイコンにより隠れるように、当該第１アプリケーションが表示させようとする画像を、各ディスプレイを用いて表示させる
ことを特徴とする請求項２記載の携帯端末。
【請求項８】
前記表示制御部は、更に
前記検出部により前記変化が検出されると、各関連アイコンの表示領域において、前記第１アプリケーションが表示させようとする画像の一部分が透過するように、当該第１アプリケーションが表示させようとする画像を、各ディスプレイを用いて表示させる
ことを特徴とする請求項２記載の携帯端末。
【請求項９】
前記表示制御部は、
前記第２ディスプレイにおける各関連アイコンの表示態様を、過去に当該各関連アイコンを当該第２ディスプレイに表示させた際に、いずれの関連アイコンが示す関連アプリケーションが前記第２アプリケーションとして前記実行部により起動されたかに基づいて決定する
ことを特徴とする請求項２記載の携帯端末。
【請求項１０】
前記検出部は、更に
前記開状態から、当該開状態よりも各筐体の相対位置が更に変化し、かつ各ディスプレイの画面全体が視認可能な全開状態への変化を検出するものであり、
前記表示制御部は、更に
前記検出部により、前記全開状態への変化が検出された際に、前記第２ディスプレイに表示させていた各関連アイコンを非表示にする
ことを特徴とする請求項２記載の携帯端末。
【請求項１１】
第１ディスプレイが配置された第１筺体と、第２ディスプレイが配置された第２筺体とからなり、各筺体の相対位置が変更自在に構成された携帯端末における表示制御方法であって、
前記第１ディスプレイの画面全体が視認可能で、かつ前記第１筺体により前記第２ディスプレイの画面の少なくとも一ステップが覆われる閉状態から、各ディスプレイの画面全体が視認可能な開状態への変化を検出する検出ステップと、
前記検出ステップにより前記変化が検出された際に、当該変化の直前に前記第１ディスプレイに画像を表示させていた第１アプリケーションに関連する１以上の関連アプリケーションの中から、前記第２ディスプレイに画像を表示することとなる第２アプリケーションをユーザに選択させるための選択肢用画像をいずれかのディスプレイに表示させる表示制御ステップとを含む
ことを特徴とする表示制御方法。
【請求項１２】
第１ディスプレイが配置された第１筺体と、第２ディスプレイが配置された第２筺体とからなり、各筺体の相対位置が変更自在に構成された携帯端末におけるプロセッサに、表示制御処理を行わせるためのプログラムであって、
前記表示制御処理は、
前記第１ディスプレイの画面全体が視認可能で、かつ前記第１筺体により前記第２ディスプレイの画面の少なくとも一ステップが覆われる閉状態から、各ディスプレイの画面全体が視認可能な開状態への変化を検出する検出ステップと、
前記検出ステップにより前記変化が検出された際に、当該変化の直前に前記第１ディスプレイに画像を表示させていた第１アプリケーションに関連する１以上の関連アプリケーションの中から、前記第２ディスプレイに画像を表示することとなる第２アプリケーションをユーザに選択させるための選択肢用画像をいずれかのディスプレイに表示させる表示制御ステップとを含む
ことを特徴とするプログラム。
【発明の詳細な説明】
【技術分野】
【０００１】
本発明は、複数のディスプレイを備える携帯電話機等の携帯端末に関し、特に、ユーザインタフェースの改良に関する。
【背景技術】
【０００２】
第１及び第２ディスプレイを有し、折り畳み式やスライド式等開閉による変形を可能にした携帯端末が知られている。
このような携帯端末の中には、開状態においては、各ディスプレイの画面が視認可能になるものの、閉状態においては、いずれのディスプレイの画面も視認できないものや（特許文献１参照）、第１ディスプレイのみの画面が視認可能なものもある。
【０００３】
閉状態で第１ディスプレイのみの画面が視認可能な携帯端末には、閉状態から開状態へと変形した際に、閉状態において第１ディスプレイに画像を表示させていたアプリケーションが表示させようとする画像を、各ディスプレイを用いて表示（いわゆる２画面表示）するものがある。
これにより、アプリケーションが表示させようとする画像を２つのディスプレイを用いて見易く表示することができる。
【先行技術文献】
【特許文献】
【０００４】
【特許文献１】国際公開第０８／０１６０３１号
【発明の概要】
【発明が解決しようとする課題】
【０００５】
しかしながら、開状態において、ユーザは、他のアプリケーションの画像を第２ディスプレイに表示させたい場合がある。このような場合に、ユーザは、携帯端末を開状態にした後、まず、複数のアプリケーションの中から第２ディスプレイに画像を表示させることになる所望のアプリケーションを選択するための画面を表示させる操作を行う必要がある。その操作により表示された画面を見て、やっとユーザは所望のアプリケーションを選択できるようになるので、所望のアプリケーションを選択できるようになるまでに時間がかかってしまう。
【０００６】
そこで、本発明は係る問題に鑑みてなされたものであり、第１及び第２ディスプレイを備え、開閉による変形が可能な携帯端末において、開状態へと変形した際に、第２ディスプレイに画像を表示させることなるアプリケーションをユーザが速やかに選択できるようにした携帯端末を提供することを目的とする。
【課題を解決するための手段】
【０００７】
上記課題を解決するために、本発明に係る携帯端末は、第１ディスプレイが配置された第１筺体と、第２ディスプレイが配置された第２筺体とからなり、各筺体の相対位置が変更自在に構成された携帯端末であって、前記第１ディスプレイの画面全体が視認可能で、かつ前記第１筺体により前記第２ディスプレイの画面の少なくとも一部が覆われる閉状態から、各ディスプレイの画面全体が視認可能な開状態への変化を検出する検出部と、前記検出部により前記変化が検出された際に、当該変化の直前に前記第１ディスプレイに画像を表示させていた第１アプリケーションに関連する１以上の関連アプリケーションの中から、前記第２ディスプレイに画像を表示することとなる第２アプリケーションをユーザに選択させるための選択肢用画像をいずれかのディスプレイに表示させる表示制御部とを備えることを特徴とする。
【発明の効果】
【０００８】
上記構成を備える本発明に係る携帯端末によれば、開状態へと変形した際に、第２ディスプレイに画像を表示させることなるアプリケーションをユーザが速やかに選択することができる。
【図面の簡単な説明】
【０００９】
【図１】実施の形態に係る携帯電話機１００の閉状態、開状態及び全開状態の外観を示す図
【図２】携帯電話機１００が閉状態である場合の表示例を示す図
【図３】携帯電話機１００が開状態になった場合の表示例を示す図
【図４】開状態において、アイコンＩ４０が選択された場合の携帯電話機１００の表示例を示す図
【図５】アイコンＩ４０が選択された後に、携帯電話機１００が全開状態になった場合の表示例を示す図
【図６】開状態においていずれのアイコンも選択されることなく、携帯電話機１００が全開状態になった場合の表示例を示す図
【図７】携帯電話機１００の主要部の機能構成を示すブロック図
【図８】アプリ情報テーブル１０のデータ構成及び内容例を示す図
【図９】携帯電話機１００の表示制御処理を示すフローチャート
【図１０】携帯電話機１００が開状態になった場合の各アイコンの他の表示例を示す図
【図１１】携帯電話機１００が開状態になった場合の第２アプリケーションの画像の他の表示例を示す図
【図１２】携帯電話機１００が開状態になった場合の各アイコンの他の表示例を示す図
【発明を実施するための形態】
【００１０】
以下、本発明に係る携帯端末の一実施形態としての携帯電話機について説明する。
≪実施の形態≫
＜１．概要＞
実施の形態に係る携帯電話機は、タッチパッド付きの第１及び第２ディスプレイを備える開閉可能なスライド式の端末であり、閉状態で第１ディスプレイの画面のみが視認可能であり、開状態で第１及び第２ディスプレイの画面が視認可能となるものである。
【００１１】
この携帯電話機は、閉状態から開状態に変化すると、閉状態で第１ディスプレイに画像を表示させていたアプリケーション（以下、「第１アプリケーション」という）に関連する１以上のアプリケーション（以下、「関連アプリケーション」という）を表す各関連アイコンを、第２ディスプレイに表示する。
ユーザは、第２ディスプレイに画像を表示させることになるアプリケーション（以下、「第２アプリケーション」という）を、第２アプリケーションを表す関連アイコンの表示位置に指等を接触させる操作を行うことで選択することができる。
【００１２】
つまり、この携帯電話機によれば、ユーザは、この携帯電話機を開状態にした後に、各関連アイコンが表示されるので、わざわざ第２アプリケーションを選択するための画面を表示させる操作を行うことなく、速やかに第２アプリケーションを選択することができる。
＜２．装置構成＞
まず、実施の形態に係る携帯電話機１００の装置構成について説明する。
【００１３】
図１（ａ）は、携帯電話機１００の閉状態の外観を示す斜視図であり、図１（ｂ）は、携帯電話機１００の開状態の外観を示す斜視図であり、図１（ｃ）は、携帯電話機１００の全開状態の外観を示す斜視図である。
携帯電話機１００は、図１（ａ）〜（ｃ）に示されるように、第１筐体１と第２筐体２とが相対的に移動可能なスライド式の端末であり、第１筐体１、第２筐体２及び第１筐体１と第２筐体２とを接続するアーム３を備えている。
【００１４】
第１筐体１には、レシーバ４、マイク５、タッチパッド付きの第１ディスプレイ１１０が備えられ、磁石６が内蔵されており、第２筐体２には、タッチパッド付きの第２ディスプレイ１２０が備えられ、磁気センサ７及び８が内蔵されている。
アーム３は、その基端側が第２筐体２に回転自在に軸支されており、先端側が第１筐体１をスライド移動並びに回転自在に支持している。
【００１５】
従って、この携帯電話機１００は、第１筐体１と第２筐体２とが単なる相対回動するだけでなく、閉状態と開状態と全開状態との間で変更することが可能である。
携帯電話機１００は、図１（ａ）に示すように、第２筐体２に第１筐体１が重ね合わさり、第２ディスプレイ１２０が視認できない閉状態から、アーム３により、第１筐体１が第２筐体２の主表面に沿って移動することで、図１（ｂ）に示す開状態になり、図１（ｃ）に示すように、第１筐体１の主表面と第２筐体２の主表面とが略同一平面上に揃い、第１ディスプレイ１１０及び第２ディスプレイ１２０が視認可能な全開状態になる。なお、ここでは、各筐体においてディスプレイが存在する側の表面を主表面と表現している。
【００１６】
携帯電話機１００は、磁気センサ（７、８）による磁石６の磁力の検出の有無により、閉状態、開状態及び全開状態のいずれの状態であるかを判定することができる。即ち、携帯電話機１００は、磁石６が発生する磁力を磁気センサ７が検出した場合に、閉状態であると判定し、いずれの磁気センサ（７、８）も検出しない場合に、開状態であると判定し、磁気センサ８が検出した場合に、全開状態であると判定する。
【００１７】
＜３．ユーザインタフェース仕様＞
次に、図２〜図６を用いて、携帯電話機１００のユーザインタフェース仕様を説明する。
図２は、携帯電話機１００が閉状態である場合の表示例を示す図である。
同図では、第１ディスプレイ１１０にメール画像Ｇ１０が表示された様子を示している。
【００１８】
同図に示すメール画像Ｇ１０は、フォルダ一覧を示すフォルダ一覧部分画像Ｇ１１と、選択中のフォルダに含まれているメール一覧を示すメール一覧部分画像Ｇ１２と、選択中のメールの内容を示すメッセージ部分画像Ｇ１３とからなる。
同図に示すフォルダ一覧部分画像Ｇ１１は、３つのフォルダのうち、受信フォルダが選択された様子を示している。また、メール一覧部分画像Ｇ１２は、選択中の受信フォルダに含まれる受信日時が最新のものから順に３つの受信メールのうち、受信日時が最新のメール（斜線部参照）が選択された様子を、また、メッセージ部分画像Ｇ１３は、選択中のメールの内容を示している。
【００１９】
なお、メール一覧部分画像Ｇ１２やメッセージ部分画像Ｇ１３の表示位置において、ユーザが、所定の接触操作（以下、「スクロール操作」という）を行うと、携帯電話機１００はスクロール表示を行う。つまり、ユーザが、メール一覧部分画像Ｇ１２の表示位置においてスクロール操作を行うと、携帯電話機１００は、受信日時が最新のものから順に４つ目以降の受信メールの一覧を表示する。また、ユーザが、メッセージ部分画像Ｇ１３の表示位置においてスクロール操作を行うと、携帯電話機１００は、選択中の受信メールの内容の残りの部分（未表示の部分）を表示する。
【００２０】
図２に示す状態で、ユーザが第１筐体１をスライドさせて、携帯電話機１００が開状態になったとする。
ここで、携帯電話機１００が開状態になったということは、ユーザは、閉状態では見ることができなかった第２ディスプレイ１２０をいずれかのアプリケーション用の画面として使用するつもりであると考えられる。
【００２１】
つまり、ユーザは、第１アプリケーションの画面を、各ディスプレイ（１１０、１２０）を用いて拡大表示（つまり、２画面表示）させて使用するつもりかもしれない。あるいは、ユーザは、開状態へと変化する直前に第１ディスプレイ１１０に画像を表示させていた第１アプリケーションと共に使用されるような、第１アプリケーションに関連する関連アプリケーションの画面を第２ディスプレイ１２０に表示させて使用するつもりかも知れない。
【００２２】
そこで、携帯電話機１００は、開状態になると、第１アプリケーションが表示させようとするメール画像を、各ディスプレイ（１１０、１２０）を用いて拡大表示（いわゆる２画面表示）し、第２ディスプレイ１２０には、更に関連アプリケーションそれぞれを示す各関連アイコンも表示する。
図３は、携帯電話機１００が開状態になった場合の表示例を示す図である。
【００２３】
同図は、第１アプリケーションのメール画像（Ｇ２０、Ｇ３０）が各ディスプレイ（１１０、１２０）に表示されており、第１アプリケーションを表すアイコンＩ１０及び各関連アイコン（Ｉ２０〜Ｉ４０）が第２ディスプレイ１２０のアイコン表示領域Ａ３０に表示された様子を示している。
なお、各関連アイコン（Ｉ２０〜Ｉ４０）は、本願における選択肢画像の一例である。
【００２４】
同図に示すように、メール画像Ｇ２０のメール一覧部分画像Ｇ２１は、図２に示すメール画像Ｇ１０のメール一覧部分画像Ｇ１２より多くの受信メールの一覧は表示された様子を示している。また、メール画像Ｇ３０には、メール画像Ｇ１０のメッセージ部分画像Ｇ１３と比較し、選択中の受信メールの内容全体が表示された様子を示している。また、各メール画像（Ｇ２０、Ｇ３０）は、全体的に、メール画像Ｇ１０よりも文字等が拡大して表示された様子を示している。
【００２５】
また、図３の例では、第１アプリケーションを表すアイコンＩ１０の表示態様（アイコンＩ１０の斜線部参照）が、各関連アイコン（Ｉ２０〜Ｉ４０）の表示態様と異なったものとなっている。これは、第２ディスプレイ１２０に画像を表示させている第２アプリケーションが、アイコンＩ１０が表す第１アプリケーション（メールアプリケーション）であることを示している。以下では、アイコンＩ１０のような表示態様を「選択状態」、アイコンＩ２０〜Ｉ４０のような表示態様を「非選択状態」ともいう。
【００２６】
なお、この例では、第２ディスプレイ１２０において、メール本文の一部が隠れるように各アイコン（Ｉ１０、Ｉ２０〜Ｉ４０）が表示されている。
ここで、もしも、ユーザが、第１アプリケーションではなく、いずれかの関連アプリケーションの画面を第２ディスプレイ１２０に表示させて使用するために、携帯電話機１００を開状態にしたとする。
【００２７】
その場合、ユーザは、所望の関連アプリケーションを表す関連アイコンを選択する、つまり、その関連アイコンの表示位置に指等を接触させることで、その関連アイコンが表す関連アプリケーションを第２アプリケーションとして起動することができる。
例えば、ユーザが、関連アイコンＩ４０を選択した場合、携帯電話機１００は、関連アイコンＩ４０が表すカレンダーアプリケーションを起動し、起動したカレンダーアプリケーションが表示しようとする画像を、第２ディスプレイ１２０に表示させる。
【００２８】
図４は、図３の状態で、アイコンＩ４０が選択された場合の表示例を示す図である。
同図では、第１アプリケーションのメール画像Ｇ１０が第１ディスプレイ１１０に、第２アプリケーションのカレンダー画像Ｇ５０が第２ディスプレイ１２０に表示されると共に、第１アプリケーションを表すアイコンＩ１１及び各関連アイコン（Ｉ２０、Ｉ３０、Ｉ４１）が第２ディスプレイ１２０のアイコン表示領域Ａ３０に表示された様子を示している。
【００２９】
なお、この例では、カレンダーの一部が隠れるように、各アイコン（Ｉ１１、Ｉ２０、Ｉ３０、Ｉ４１）が表示されている。
図３に示す状態において、ユーザが、関連アイコンＩ４０を選択したため、第２アプリケーションは、アイコンＩ１０が表す第１アプリケーション（メールアプリケーション）から関連アイコンＩ４０が表すカレンダーアプリケーションに変更されている。
【００３０】
従って、図４では、カレンダーアプリケーションを表す関連アイコンＩ４１が選択状態になり（アイコンＩ４１の斜線部参照）、第１アプリケーションを表すアイコンＩ１１が非選択状態になっている。
その後、ユーザが、携帯電話機１００を全開状態にすることで、図５に示すように、各アイコン（Ｉ１１、Ｉ２０、Ｉ３０、Ｉ４１）は非表示にされ、第２ディスプレイ１２０の表示領域全体にカレンダー画像Ｇ５１が表示される。なお、図４に示す状態で、他のアイコン（Ｉ１１、Ｉ２０、Ｉ３０）のいずれもが一定時間以上選択されない場合にも、図５に示す場合と同様に、第２ディスプレイ１２０の表示領域全体に、カレンダー画像Ｇ５１が表示される。
【００３１】
一方、もしも、ユーザが、第１アプリケーションの画面を、各ディスプレイ（１１０、１２０）を用いて拡大表示（つまり、２画面表示）させて使用するために、携帯電話機１００を開状態にしたとする。
その場合、ユーザは、図３に示す状態で、いずれの関連アイコン（Ｉ２０〜Ｉ４０）も選択することなく、携帯電話機１００を全開状態にすることで、図６に示すように、各アイコン（Ｉ１０〜Ｉ４０）は非表示にされ、第２ディスプレイ１２０の表示領域全体にメール画像Ｇ３１が表示される。なお、図３に示す状態で、関連アイコン（Ｉ２０〜Ｉ４０）のいずれもが一定時間以上選択されない場合にも、図６に示す場合と同様に、第２ディスプレイ１２０の表示領域全体に、メール画像Ｇ３１が表示される。
【００３２】
＜４．機能構成＞
図７は、携帯電話機１００の主要部の機能構成を示すブロック図である。
携帯電話機１００は、同図に示すように、磁石６と、磁気センサ７及び８と、第１ディスプレイ１１０と、コントローラ１１３と、第２ディスプレイ１２０と、コントローラ１２３と、記憶部１３０と、計時部１３１と、制御部１４０とを備える。
【００３３】
なお、携帯電話機１００は、プロセッサ及びメモリを含んで構成されており、制御部１４０の機能は、メモリに記憶されているプログラムをプロセッサが実行することにより実現される。
ここで、磁気センサ７及び８は、磁石６が発生する磁力を検出する機能を有し、当該磁力を検出しているかを示す信号を、制御部１４０に出力するセンサである。
【００３４】
なお、磁石６による磁力を、閉状態においては磁気センサ７が検出し、開状態においては、いずれの磁気センサ（７、８）も検出せず、全開状態においては磁気センサ８が検出するよう、磁石６及び各磁気センサ（７、８）の配置と、磁石６の磁力の強度が調整されている。
また、第１ディスプレイ１１０は、ＬＣＤ（Liquid Crystal Display）１１１及びタッチパッド１１２を含み、第２ディスプレイ１２０は、ＬＣＤ１２１及びタッチパッド１２２を含む。
【００３５】
各タッチパッド（１１２、１２２）は、静電容量方式のタッチセンサであり、タッチパッド１１２は、ＬＣＤ１１１に重畳して設けられ、タッチパッド１２２は、ＬＣＤ１２１に重畳して設けられている。なお、各タッチパッドは、透明部材を用いて構成されており、各ＬＣＤに表示された画像が見えるように構成されている。
各コントローラ（１１３、１２３）は、対応するディスプレイのタッチパッドに対するユーザの指等の接触を検出し、検出している間、単位時間（例えば、２５ｍｓ）毎に、そのタッチパッドにおける接触位置の座標値（ｘ，ｙ）を制御部１４０に出力するＩＣ（Integrated Circuit）である。なお、第１ディスプレイ１１０とコントローラ１１３とが対応し、第２ディスプレイ１２０とコントローラ１２３とが対応する。
【００３６】
また、記憶部１３０は、携帯電話機１００の各種アプリケーション用のプログラムや、それらのアプリケーションが必要とするデータや、各アプリケーションを表すアイコン画像等の他、特に、アプリ情報テーブル１０、第１アプリ情報２０、第２アプリ情報２１及び状態情報３０を記憶するためのメモリ領域である。
ここで、アプリ情報テーブル１０は、携帯電話機１００で実行される各種アプリケーションについての関連アプリケーションを定義したテーブルである（図８参照）。
【００３７】
また、第１アプリ情報２０は、第１アプリケーションを示す情報であり、第２アプリ情報２１は、第２アプリケーションを示す情報である。また、状態情報３０は、携帯電話機１００の状態が、閉状態、開状態及び全開状態のうちのいずれの状態であるかを示す情報である。
計時部１３１は、制御部１４０の指示に従って一定時間の計時を開始し、一定時間の計時を完了すると、その旨を制御部１４０に通知する機能を有し、タイマやカウンタにより実現される。
【００３８】
また、制御部１４０は、携帯電話機１００の各機能部を制御する機能を有する他、携帯電話機１００の状態（閉状態、開状態、全開状態）に応じて、各ディスプレイ（１１０、１２０）の表示を制御する機能を有し、検出部１４１、実行部１４２及び表示制御部１４３を含んで構成される。
ここで、検出部１４１は、各磁気センサ（７、８）からの信号に基づいて、携帯電話機１００の状態（閉状態、開状態、全開状態）を特定し、携帯電話機１００の状態の変化を検出する機能を有する。
【００３９】
即ち、検出部１４１は、磁気センサ７からの信号が、磁石６による磁力を検出していることを示す場合に、閉状態であると特定し、各磁気センサ（７、８）からの信号が、磁石６による磁力を検出してないことを示す場合に、開状態であると特定する。また、検出部１４１は、磁気センサ８からの信号が、磁石６による磁力を検出していることを示す場合に、全開状態であると特定する。
【００４０】
なお、検出部１４１は、携帯電話機１００の状態の変化を検出した際に、変化後の状態を示すように状態情報３０を更新する。
また、実行部１４２は、ユーザによる各タッチパッド（１１２、１２２）への接触操作（以下、単に「ユーザ操作」ともいう）に応じた処理を実行する機能を有し、特に、関連アイコンが選択された場合に、当該関連アイコンが表す関連アプリケーションを起動する機能を有する。
【００４１】
なお、以下では、携帯電話機１００においていわゆる待受画像が表示され、各種アプリケーションが実行されていない状態を「待受状態」ともいう。
実行部１４２は、待受状態において、ユーザ操作に応じて、いずれかのアプリケーションを起動した際に、起動したアプリケーションのアプリＩＤで第１アプリ情報２０を更新する。また、関連アプリケーションを起動した際に、この関連アプリケーションのアプリＩＤで第２アプリ情報２１を更新する。
【００４２】
また、表示制御部１４３は、携帯電話機１００の状態（閉状態、開状態、全開状態）や実行部１４２の処理結果に応じて各ＬＣＤ（１１１、１２１）の表示を制御する機能を有する。詳細な制御内容は後述する（図９参照）。
＜５．データ＞
以下では、携帯電話機１００が使用するデータについて、図８を用いて説明する。
【００４３】
図８は、アプリ情報テーブル１０のデータ構成及び内容例を示す図である。
アプリ情報テーブル１０は、同図に示すように、携帯電話機１００が実行できる各種アプリケーションについて、アプリＩＤ１１と、名称１２と、関連アプリＩＤ群１３とを対応付けて構成される情報である。
なお、アプリ情報テーブル１０の各データは、携帯電話機１００のメーカ等により予め登録されているものとする。
【００４４】
ここで、アプリＩＤ１１は、アプリケーションの識別情報であり、この例では、１から１ずつ増加させた数字を用いている。また、名称１２は、対応するアプリＩＤが示すアプリケーションの名称である。
また、関連アプリＩＤ群１３は、対応するアプリＩＤが示すアプリケーションに関連する最大３つの関連アプリケーションのアプリＩＤを、関連が強い順に登録したものであり、同図では、左から順に関連が強いことを示している。なお、同図における「−」はアプリＩＤが登録されていないことを示している。
【００４５】
同図は、アプリＩＤが「１」であるアプリケーションの名称は「メールアプリケーション」であり、関連アプリＩＤ群は「２」、「３」及び「８」であることを示している。つまり、メールアプリケーションの関連アプリケーションは、「Ｗｅｂアプリケーション」、「カメラアプリケーション」及び「カレンダーアプリケーション」であり、この順でメールアプリケーションとの関連が強いことを示している。
【００４６】
＜６．動作＞
次に、携帯電話機１００の動作について、図９を用いて説明する。
図９は、携帯電話機１００の表示制御処理を示すフローチャートである。
同図に示す表示制御処理は、携帯電話機１００の電源がＯＮになると開始され、ステップＳ１３の処理が完了し、表示制御処理が終了した後においては、携帯電話機１００が閉状態になった際に、再度開始され、特に図示していないが、電源がＯＦＦになると終了される。
【００４７】
また、同図に示す表示制御処理とは独立した処理として、各磁気センサ（７、８）から出力された各信号に基づいて、携帯電話機１００の現在の状態を示すように、記憶部１３０の状態情報３０を更新する処理が、検出部１４１により行われる。
また、同図に示す表示制御処理とは独立した処理として、実行中の第１アプリケーションを示すように第１アプリ情報２０を、実行中の第２アプリケーションを示すように第２アプリ情報２１を更新する処理が、実行部１４２により行われる。なお実行部１４２は、携帯電話機１００の電源がＯＮになると、第１アプリ情報２０及び第２アプリ情報２１を初期化（例えば「０」に更新）するものとする。
【００４８】
まず、制御部１４０の表示制御部１４３は、状態情報３０を参照し、携帯電話機１００が閉状態であるか否かを判定する（ステップＳ１）。
携帯電話機１００が開状態又は全開状態である場合に（ステップＳ１：ＮＯ）、表示制御部１４３は、第１アプリ情報２０が示す実行中のアプリケーションが表示しようとする画像を、各ＬＣＤ（１１１、１２１）を用いて表示する（ステップＳ２）。
【００４９】
例えば、メールアプリケーションが実行部１４２により既に起動されており、第１アプリ情報２０には、メールアプリケーションを示すアプリＩＤ「１」が登録されている場合には、表示制御部１４３は、このメールアプリケーションが表示しようとする画像を、各ＬＣＤを用いて表示する。なお、第１アプリ情報２０が「０」である場合には、いずれのアプリケーションも実行されていない待受状態であるので、表示制御部１４３は、待受画像を、各ＬＣＤを用いて表示する。
【００５０】
ステップＳ２の処理を完了すると、表示制御部１４３は、ステップＳ１から再び処理を行う。
また、携帯電話機１００が閉状態である場合に（ステップＳ１：ＹＥＳ）、表示制御部１４３は、第１アプリ情報２０が示す実行中のアプリケーションが表示しようとする画像を、ＬＣＤ１１１を用いて表示する（ステップＳ３）。なお、第１アプリ情報２０が「０」である場合には、表示制御部１４３は、待受画像を、ＬＣＤ１１１を用いて表示する。
【００５１】
続いて、表示制御部１４３は、状態情報３０を参照し、携帯電話機１００が閉状態から開状態へと変化したか否かを判定し（ステップＳ４）、閉状態のままである場合には（ステップＳ４：ＮＯ）、再びステップＳ３から処理を行う。
また、携帯電話機１００が閉状態から開状態へと変化した場合に（ステップＳ４：ＹＥＳ）、表示制御部１４３は、アプリ情報テーブル１０を参照し、第１アプリ情報２０が示す第１アプリケーションに関連する関連アプリケーションが存在するかを判定する（ステップＳ５）。
【００５２】
即ち、表示制御部１４３は、第１アプリ情報２０と同じアプリＩＤと対応付けられている関連アプリＩＤ群が存在する場合に、関連アプリケーションが存在すると判定する（ステップＳ５：ＹＥＳ）。
関連アプリケーションが存在しない場合に（ステップＳ５：ＮＯ）、表示制御部１４３は、ステップＳ２に処理に進む。
【００５３】
また、関連アプリケーションが存在する場合に（ステップＳ５：ＹＥＳ）、表示制御部１４３は、第１アプリ情報２０と同じアプリＩＤと対応付けられている関連アプリＩＤ群をアプリ情報テーブル１０から取得する（ステップＳ６）。
続いて、表示制御部１４３は、第１アプリ情報２０が示す第１アプリケーションが表示しようとする画像を、各ディスプレイの各ＬＣＤ（１１１、１２１）を用いて表示すると共に、各アイコンをＬＣＤ１２１に表示する（ステップＳ７）。
【００５４】
この各アイコンは、第１アプリ情報２０が示す第１アプリケーションを表し選択状態であるアイコンと、ステップＳ６で取得した関連アプリＩＤ群が示す関連アプリケーションを表す各関連アイコンとからなる。この各関連アイコンは、第１アプリケーションとの関連が強い順に上から並べられる。
例えば、第１アプリ情報２０が示す第１アプリケーションがメールアプリケーションである場合には、ステップＳ６で取得した関連アプリＩＤ群は、「２」、「３」及び「８」となる。従って、選択状態であるメールアプリケーションのアイコンＩ１０、ＷｅｂアプリケーションのアイコンＩ２０、カメラアプリケーションのアイコンＩ３０及びカレンダーアプリケーションのアイコンＩ４０が上から順に表示される（図３に示すアイコン表示領域Ａ３０参照）。
【００５５】
また、表示制御部１４３は、計時部１３１に計時を開始させ（ステップＳ８）、第２アプリ情報２１を参照し、関連アプリケーションが起動されたか否かを判定する（ステップＳ９）。即ち、表示制御部１４３は、第２アプリ情報２１と同じアプリＩＤが、ステップＳ６で取得した関連アプリＩＤ群に含まれている場合には、関連アプリケーションが起動されたと判定する（ステップＳ９：ＹＥＳ）。
【００５６】
関連アプリケーションが起動されたと判定した場合に（ステップＳ９：ＹＥＳ）、表示制御部１４３は、第２アプリ情報２１が示す第２アプリケーションが表示しようとする画像をＬＣＤ１２１に表示させると共に、アイコンの表示態様を変更する（ステップＳ１０）。
例えば、図３に示す状態において、関連アイコンＩ４０が選択された場合、第２アプリ情報２１が示す第２アプリケーションはカレンダーアプリケーションである。従って、表示制御部１４３は、図４に示すように、カレンダー画像Ｇ５０をＬＣＤ１２１に表示させると共に、カレンダーの一部が隠れるように、非選択状態でアイコンＩ１１、Ｉ２０、Ｉ３０を表示させ、選択状態でアイコンＩ４１を表示させる。
【００５７】
ステップＳ１０の処理が完了すると、表示制御部１４３は、ステップＳ８から再び処理を行う。
一方、ステップＳ９において、関連アプリケーションが起動されなかったと判定した場合に（ステップＳ９：ＮＯ）、表示制御部１４３は、ステップＳ８での計時の開始から、一定時間を経過したかを判定する（ステップＳ１１）。
【００５８】
計時部１３１から通知があった場合には、表示制御部１４３は、一定時間を経過したと判定し（ステップＳ１１：ＹＥＳ）、後述するステップＳ１３の処理に進む。
計時部１３１から通知がなかった場合には、表示制御部１４３は、一定時間を経過していないと判定し（ステップＳ１１：ＮＯ）、状態情報３０を参照し、携帯電話機１００が全開状態であるか否かを判定する（ステップＳ１２）。
【００５９】
表示制御部１４３は、携帯電話機１００が閉状態又は開状態である場合には（ステップＳ１２：ＮＯ）、ステップＳ９から再び処理を行い、携帯電話機１００が全開状態である場合には（ステップＳ１２：ＹＥＳ）、ＬＣＤ１２１に表示中の各アイコンを非表示にする（ステップＳ１３）。
例えば、携帯電話機１００が、図４に示す開状態から全開状態になった場合には、図５に示すように、表示制御部１４３は、ＬＣＤ１２１の表示領域全体にカレンダー画像Ｇ５１を表示させる。また、例えば、携帯電話機１００が、図３に示す開状態から全開状態になった場合には、図６に示すように、表示制御部１４３は、ＬＣＤ１２１の表示領域全体にメール画像Ｇ３１を表示させる。
【００６０】
ステップＳ１３の処理を完了すると、表示制御部１４３は、ステップＳ１から再び処理を行う。
≪補足≫
以上、本発明に係る携帯端末を、実施の形態に基づいて説明したが、以下のように変形することも可能であり、本発明は上述した実施の形態で示した通りの携帯電話機に限られないことは勿論である。
【００６１】
（１）実施の形態に係る携帯電話機１００は、各関連アイコンを、第２ディスプレイ１２０に表示させるものとして説明したが、第１ディスプレイ１１０に表示させるようにしてもよい。
また、実施の形態に係る携帯電話機１００は、各ディスプレイ（１１０、１２０）が共にタッチパッドを備えるものとして説明したが、各関連アイコンを表示させることになる一方のディスプレイのみがタッチパッドを備えるようにしてもよい。
【００６２】
また、実施の形態に係る携帯電話機１００は、第２アプリケーションをユーザに選択させるための選択肢用画像としてアイコンを表示させるものとして説明したが、この選択肢用画像はアイコンに限らず、例えば、アプリケーションの名称を表示した画像であってもよい。
また、選択肢用画像は、例えば、第２アプリケーションを選択するための操作方法を記載したものであってもよい。即ち、携帯電話機１００の両ディスプレイを、タッチパッドを備えないものとし、更に、テンキー等のキー群からなる操作部を備えるように変形し、選択肢用画像として、例えば、「Ｗｅｂアプリケーション：１」、「カメラアプリケーション：２」、「カレンダーアプリケーション：３」というように、アプリケーションの名称と、そのアプリケーションを第２アプリケーションとして選択する際に押下すべきテンキーの番号を表示するようにしてもよい。
【００６３】
（２）実施の形態に係る携帯電話機１００は、閉状態から開状態へと変化した場合に、閉状態において第１ディスプレイ１１０に画像を表示させていた第１アプリケーションが表示しようとする画像を、各ディスプレイ（１１０、１２０）を用いて表示するものとして説明した（図９のステップＳ７、図２及び図３参照）。
しかしながら、閉状態から開状態へと変化した場合に、第１アプリケーションに関連する各関連アプリケーションのうちの１つの関連アプリケーションを自動的に起動し、起動した関連アプリケーションが表示しようとする画像を、第２ディスプレイ１２０に表示させるよう、携帯電話機１００を変形してもよい。
【００６４】
自動的に起動する１つの関連アプリケーションとしては、例えば、第１アプリケーションに最も関連の高いアプリケーションや、予めユーザが選択したアプリケーションが挙げられる。
また、閉状態から開状態へと変化した場合に、第１アプリケーションが表示しようとする画像を第２ディスプレイ１２０に表示させずに、各アイコンのみを第２ディスプレイ１２０に表示させてもよい。なお、この各アイコンは、第１アプリケーションを表すアイコン及び第１アプリケーションに関連する関連アプリケーションの各関連アイコンであってもよいし、第１アプリケーションに関連する関連アプリケーションの各関連アイコンだけであってもよい。この変形に係る携帯電話機は、第２ディスプレイ１２０に表示されている各アイコンのうちの１つがユーザにより選択されたときに、選択されたアイコンが表すアプリケーションが表示しようとする画像を第２ディスプレイに表示することになる。
【００６５】
（３）実施の形態に係る携帯電話機１００は、閉状態から開状態へと変化した場合に、第１又は第２アプリケーションが表示しようとする画像の一部が隠れるように、各関連アイコンを第２ディスプレイ１２０に表示するものとして説明した（図３及び図４のアイコン表示領域Ａ３０参照）。
しかしながら、閉状態から開状態へと変化した場合に、第１アプリケーションを表すアイコン及び各関連アイコンを第１又は第２アプリケーションが表示しようとする画像が透過するように第２ディスプレイ１２０に表示してもよい（図１０（ａ）参照）。
【００６６】
なお、図１０〜図１２では、説明の簡略化のため、携帯電話機１００の第２ディスプレイ１２０の画面例のみを示し、携帯電話機１００の筐体などの記載は省略している。
図１０（ａ）は、第１アプリケーションを表すアイコンＩ１２及び各関連アイコン（Ｉ２１、Ｉ３１、Ｉ４２）を第１アプリケーションが表示しようとする画像が透過するように第２ディスプレイ１２０に表示した様子を示している。
【００６７】
また、閉状態から開状態へと変化した場合に、第１又は第２アプリケーションが表示しようとする画像の一部が隠れないように縮小した画像を第２ディスプレイ１２０に表示してもよい（図１１（ａ）参照）。
図１１（ａ）は、第２アプリケーションが表示しようとする画像の一部が隠れないように縮小した画像（カレンダー画像Ｇ５２）を第２ディスプレイ１２０に表示した様子を示している。
【００６８】
また、この場合において、第２アプリケーションを起動してからいずれの関連アイコンも選択されることなく一定時間を経過した場合には、図１１（ｂ）に示すように、第２アプリケーションが表示しようとする画像（カレンダー画像Ｇ５３）を第２ディスプレイ１２０の表示領域全体に表示してもよい。
（４）実施の形態に係る携帯電話機１００は、第２アプリケーションが起動された場合に、起動の前後において、この第２アプリケーションを表すアイコンの表示態様を変更するものとして説明した（図３の関連アイコンＩ４０、図４の関連アイコンＩ４１参照）。
【００６９】
しかしながら、第２アプリケーションが起動される前に表示されていた、この第２アプリケーションを表すアイコンの表示を、起動後に非表示にしてもよい。
例えば、図３に示す状態において、ユーザが、関連アイコンＩ４０を選択した場合に、図１０（ｂ）に示すように、第２ディスプレイ１２０に表示されていた関連アイコンＩ４０を非表示にしてもよい。また、アプリ情報テーブル１０の関連アプリＩＤ群１３を４つ以上の関連アプリケーションのアプリＩＤを登録できるように変更し、関連アイコンＩ４０を非表示にした際に、関連アイコンＩ４０が表示されていたときには表示されていなかった関連アイコンを表示するようにしてもよい（図１０（ｂ）参照）。同図では、この変形に係るアプリ情報テーブルにおいて、メールアプリケーションのアプリＩＤ「１」に対応づけられた関連アプリＩＤ群に、「２」、「３」、「８」及び「９」が登録されており、関連アイコンＩ４０に代えて、アラームアプリケーションを表す関連アイコンＩ５０が表示された例を示している。
【００７０】
また、アプリ情報テーブル１０の関連アプリＩＤ群１３を４つ以上の関連アプリケーションのアプリＩＤを登録できるように変更した場合において、ユーザ操作に応じて、アイコン表示領域の大きさを変更できるようにし、その大きさに応じて、第２ディスプレイ１２０に表示させるアイコンの数を変更できるようにしてもよい。
図１２は、ユーザによりアイコン表示領域を大きくする操作が行われた後のアイコン表示領域Ａ３１を示している。
【００７１】
同図では、アイコン表示領域Ａ３１に、第１アプリケーションのアイコンＩ１１と第１アプリケーションに関連する全ての関連アプリケーションの各関連アイコン（Ｉ２０〜Ｉ４０、Ｉ６０〜Ｉ９０）が表示された例を示している。
なお、実施の形態では、アプリ情報テーブル１０の各データは、携帯電話機１００のメーカ等により予め登録されているものとして説明したが、ユーザが登録できるようにしてもよい。また、メーカ等により予め登録されたアプリ情報テーブル１０のデータを、ユーザが変更できるようにしてもよい。
【００７２】
また、実施の形態に係るアプリ情報テーブル１０の関連アプリＩＤ群の登録順、つまり第１アプリケーションに対する関連の強さを、関連アプリケーションの起動状況（例えば、起動回数や、直近に起動されたか否か）に応じて変更できるようにしてもよい。この結果、例えば、ユーザが起動する可能性が高い順に、各関連アイコンの表示順を変更することができる。
【００７３】
（５）実施の形態に係る携帯電話機１００の各磁気センサ（７、８）は、磁石６が発生する磁力を検出しているかを示す信号を出力するものとして説明した。
しかしながら、各磁気センサ（７、８）を、検出している磁力の強さを示す信号を出力するように変形し、携帯電話機１００の検出部１４１を、各磁気センサからの信号が示す磁力の大きさにより携帯電話機１００の状態（閉状態、開状態及び全開状態）を特定するよう変形してもよい。
【００７４】
また、実施の形態に係る携帯電話機１００は、各磁気センサ（７、８）を用いて自機の状態（閉状態、開状態及び全開状態）を特定するものとして説明したが、磁気センサ以外のセンサを用いて、自機の状態を特定してもよい。例えば、第２筐体２の主表面に第１光センサと、全開状態で第２筐体２の側面と近接する第１筐体１の側面に第２光センサを取り付け、各光センサが検出した光の強さにより携帯電話機１００の状態を特定することが考えられる。即ち、第１光センサが検出した光の強さが第１閾値Ｔｈ１未満である場合には、閉状態と特定できる。また、第１光センサ検出した光の強さが第１閾値Ｔｈ１以上であり、かつ第２光センサが検出した光の強さが第２閾値Ｔｈ２（≧Ｔｈ１）以上である場合には、開状態と特定できる。また、第２光センサが検出した光の強さが第３閾値Ｔｈ３（≦Ｔｈ２）未満である場合には、全開状態と特定できる。
【００７５】
（６）実施の形態に係る携帯電話機１００は、閉状態から開状態に変化し、一定時間を経過した場合に、第２ディスプレイ１２０に表示されていた各アイコンを非表示にする（図９のステップＳ４：ＹＥＳ、Ｓ８、Ｓ１１：ＹＥＳ、Ｓ１３）ものとして説明した。
しかしながら、各アイコンを非表示にすることは必須ではなく、非表示にしないようにしてもよい。但し、各アイコンを非表示にしないと、第２アプリケーションの画像を表示させる領域が狭くなるため、非表示にする方が望ましい。
【００７６】
また、実施の形態に係る携帯電話機１００は、閉状態から開状態に変化し、更に全開状態へと変化した場合に、第２ディスプレイ１２０における各アイコンを非表示にする（図９のステップＳ４：ＹＥＳ、Ｓ１２：ＹＥＳ、Ｓ１３）ものとして説明した。
しかしながら、閉状態から開状態に変化し、一定時間を経過した場合及び全開状態に変化した場合のいずれか一方の場合にのみ第２ディスプレイ１２０に表示されていた各アイコンを非表示にしてもよい。
【００７７】
また、第２ディスプレイ１２０に表示されていた各アイコンを非表示にした後において、ユーザ操作に応じて、そのユーザ操作が行われる直前に、第１ディスプレイ１１０に画像を表示させていたアプリケーションのアイコンと共に、又はこのアイコンは表示することなく、このアプリケーションに関連するアプリケーションの各アイコンを表示するようにしてもよい。
【００７８】
なお、上記一定時間は、携帯電話機１００のメーカ等が予め設定する場合に限らず、ユーザが設定できるようにしてもよい。
（７）実施の形態に係る携帯電話機１００は、図１（ｃ）に示すように全開状態で、第１ディスプレイ１１０の主表面と第２ディスプレイ１２０の主表面とが略同一平面上に配置されるものとして説明したが、ユーザが、各ディスプレイの画像を見ることができる態様であれば、各ディスプレイが略同一平面上に配置されなくてもよい。
【００７９】
例えば、図１（ｂ）に示す開状態よりは、第１筐体１の第１ディスプレイ１１０を含む主表面と、第２筐体２の第２ディスプレイ１２０を含む主表面との段差が低くなるように、各主表面が略平行になるように配置されてもよい。また、例えば、第１筐体１の第１ディスプレイ１１０を含む主表面と、第２筐体２の第２ディスプレイ１２０を含む主表面との間に、ユーザが各ディスプレイの画像を見ることができる程度の角度が生じるように配置されてもよい。
【００８０】
また、実施の形態では、各ＬＣＤ（１１１、１２１）の形状は、略矩形状であるとして説明したが、例えば、円形状、その他多角形状であってもよく、また、各ＬＣＤの画素数は同一であっても、異なってもよい。
各ディスプレイ（１１０、１２０）は、各ＬＣＤ（１１１、１２１）を含むものとして説明したが、有機ＥＬ（Electro-Luminescence）等を含むようにしてもよい。
【００８１】
（８）実施の形態に係る携帯電話機１００は、スライド式の携帯電話機であるものとして説明したが、折りたたみ式の携帯電話機等、他の外観を有する開閉による変形が可能な携帯電話機であってもよい。
（９）実施の形態に係る各タッチパッドは、静電容量方式のタッチセンサにより実現されるものとして説明したが、この静電容量方式のタッチセンサとして、多数の電極パターンをプラスチックやガラス等の基板上に形成し、接触点の近傍の複数の電極パターンによる電流量の比率を計測することで判別する投影型や、導電膜と基板とを有して構成され、基板の隅に電極を設け、導電膜による均一な電界を形成し、指等の接触による隅の端子の電流量の比率を計測して接触位置を判別する表面型等、適宜なものを用いることができる。
【００８２】
また、各タッチパッドの検出方式は、静電容量方式に限らず、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画像に光センサを組み込んで接触位置を検知する光センサ方式等、適宜なものを用いてもよい。
【００８３】
（１０）実施の形態において説明した各構成要素のうち、全部又は一部を１チップ又は複数チップの集積回路で実現してもよいし、コンピュータのプログラムで実現してもよいし、その他どのような形態で実現してもよい。
また、実施の形態において説明した各構成要素は、携帯電話機１００が有するプロセッサと協働することにより、その機能を実現する。
【００８４】
（１１）実施の形態において説明した携帯電話機１００の表示制御処理（図９参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより実施の形態で示した携帯電話機１００の各機能が実現される。
【００８５】
（１２）実施の形態に係る携帯電話機１００に、上記（１）〜（１１）の一部又は全部の変形を組み合わせて適用してもよい。
（１３）以下、更に本発明の一実施形態に係る携帯端末の構成及びその変形例と各効果について説明する。
（ａ）本発明の一実施形態に係る携帯端末は、第１ディスプレイが配置された第１筺体と、第２ディスプレイが配置された第２筺体とからなり、各筺体の相対位置が変更自在に構成された携帯端末であって、前記第１ディスプレイの画面全体が視認可能で、かつ前記第１筺体により前記第２ディスプレイの画面の少なくとも一部が覆われる閉状態から、各ディスプレイの画面全体が視認可能な開状態への変化を検出する検出部と、前記検出部により前記変化が検出された際に、当該変化の直前に前記第１ディスプレイに画像を表示させていた第１アプリケーションに関連する１以上の関連アプリケーションの中から、前記第２ディスプレイに画像を表示することとなる第２アプリケーションをユーザに選択させるための選択肢用画像をいずれかのディスプレイに表示させる表示制御部とを備える。
【００８６】
この携帯端末は、閉状態から開状態へと変形すると、開状態で視認可能になる第２ディスプレイに画像を表示させることとなる第２アプリケーションをユーザに選択させるための選択肢用画像を表示させる。従って、ユーザは、この携帯端末を、閉状態から開状態へと変形させた後に、第２アプリケーションを速やかに選択することができる。
（ｂ）また、前記第２ディスプレイは、タッチパッド付きのディスプレイであり、前記表示制御部は、前記１以上の関連アプリケーションそれぞれを表す各関連アイコンを前記選択肢用画像として、前記第２ディスプレイに表示させ、前記携帯端末は、更に前記タッチパッドへの接触が行われた場合において、当該接触の位置に、いずれかの関連アイコンが表示されているときに、当該関連アイコンが表す前記関連アプリケーションを前記第２アプリケーションとして起動する実行部を備え、前記表示制御部は、更に、前記第２アプリケーションが表示しようとする画像を、前記第２ディスプレイに表示させることとしてもよい。
【００８７】
この携帯端末は、選択肢用画像として各関連アイコンを表示するので、ユーザは、各関連アイコンのうちの１つを選択するという簡単な操作で第２アプリケーションを選択できる。また、この携帯端末は各関連アイコンを第２ディスプレイに表示するので、ユーザは、その関連アイコンが表す第２アプリケーションが画像を表示させることになるディスプレイが第２ディスプレイであることを容易に理解することができる。
【００８８】
（ｃ）また、前記実行部は、更に前記検出部により前記変化が検出されると、前記１以上の関連アプリケーションの中から、１つの関連アプリケーションを前記第２アプリケーションとして自動的に起動し、前記表示制御部は、前記第２アプリケーションが表示しようとする画像の一部分が各関連アイコンにより隠れるように、当該第２アプリケーションが表示しようとする画像を前記第２ディスプレイに表示させることとしてもよい。
【００８９】
この携帯端末は、閉状態から開状態へと変形すると、１つの関連アプリケーションを前記第２アプリケーションとして自動的に起動する。従って、ユーザが、開状態で第２ディスプレイに表示させたかった画像が、この自動起動された関連アプリケーションに係る画像であった場合には、所望の関連アプリケーションを表すアイコンを選択する操作さえ不要になり、利便性を向上させることができる。
【００９０】
（ｄ）また、前記表示制御部は、更に前記第２ディスプレイに表示させていた前記第２アプリケーションを表す関連アイコンを非表示にすることとしてもよい。
この携帯端末は、第２ディスプレイに表示していた、既に起動された第２アプリケーションを表す関連アイコンを非表示にするため、例えば、その関連アイコンが表示されていた領域に他の画像（例えば、他の関連アイコン）を表示することが可能になり、つまり、第２ディスプレイの表示領域を有効利用することができる。
【００９１】
（ｅ）また、前記表示制御部は、更に前記第２アプリケーションを表す関連アイコンの表示態様を、当該第２アプリケーションの起動の前後で変更することとしてもよい。
この携帯端末は、第２アプリケーションが起動された後の当該第２アプリケーションを表す関連アイコンを、起動前とは異なる表示態様で表示するので、ユーザは、起動された第２アプリケーションがどのアプリケーションであるかを一目で確認できる。
【００９２】
（ｆ）また、前記第２ディスプレイに画像を表示することとなる前記第２アプリケーションには、前記第１アプリケーションも含まれ、前記表示制御部は、前記検出部により前記変化が検出されると、各関連アイコンと共に、前記第１アプリケーションを表すアイコンを前記第２ディスプレイに表示させ、前記タッチパッドへの接触が行われた場合において、当該接触の位置に、前記第１アプリケーションを表すアイコンが表示されていたときに、当該第１アプリケーションが表示しようとする画像を、各ディスプレイを用いて表示させることとしてもよい。
【００９３】
この携帯端末は、閉状態から開状態へと変形すると、更に第１アプリケーションを表すアイコンも表示するので、ユーザは、このアイコンを選択することで、第１アプリケーションが表示しようとする画像を、各ディスプレイを用いて表示（いわゆる２画面表示）することができる。
（ｇ）また、前記表示制御部は、更に前記検出部により前記変化が検出されると、前記第１アプリケーションが表示させようとする画像の少なくとも一部分が各関連アイコンにより隠れるように、当該第１アプリケーションが表示させようとする画像を、各ディスプレイを用いて表示させることとしてもよい。
【００９４】
この携帯端末は、閉状態から開状態へと変形すると、自動的に、第１アプリケーションが表示しようとする画像を、その少なくとも一部が各関連アイコンにより隠れるように、各ディスプレイを用いて表示（いわゆる２画面表示）する。
従って、ユーザが、第１アプリケーションに係る画像を、いわゆる２画面表示したかった場合には、そのためのユーザ操作を不要にし、関連アプリケーションに係る画像を第２ディスプレイに表示させたかった場合には、当該関連アプリケーションを表す関連アイコンを速やかに選択させることができる。
【００９５】
（ｈ）また、前記表示制御部は、更に前記検出部により前記変化が検出されると、各関連アイコンの表示領域において、前記第１アプリケーションが表示させようとする画像の一部分が透過するように、当該第１アプリケーションが表示させようとする画像を、各ディスプレイを用いて表示させることとしてもよい。
この携帯端末は、各関連アイコンの表示領域において、前記第１アプリケーションが表示させようとする画像の一部分が透過するように、当該第１アプリケーションが表示させようとする画像を、各ディスプレイを用いて表示させる。つまり、各関連アイコンを表示させつつも、各ディスプレイの表示領域全体を使って、第１アプリケーションが表示させようとする画像を大きく表示することができる。
【００９６】
（ｉ）また、前記表示制御部は、前記第２ディスプレイにおける各関連アイコンの表示態様を、過去に当該各関連アイコンを当該第２ディスプレイに表示させた際に、いずれの関連アイコンが示す関連アプリケーションが前記第２アプリケーションとして前記実行部により起動されたかに基づいて決定することとしてもよい。
この携帯端末は、各関連アイコンの表示態様（例えば、各アイコンの表示位置や、表示サイズや、表示順等）を過去の起動状況（例えば、起動回数や、直近に起動されたか否か）に応じて変化させることができるので、例えば、ユーザが起動する可能性が高いものを、ユーザが選びやすく表示することができる。
【００９７】
（ｊ）また、前記検出部は、更に前記開状態から、当該開状態よりも各筐体の相対位置が更に変化し、かつ各ディスプレイの画面全体が視認可能な全開状態への変化を検出するものであり、前記表示制御部は、更に前記検出部により、前記全開状態への変化が検出された際に、前記第２ディスプレイに表示させていた各関連アイコンを非表示にすることとしてもよい。
【００９８】
この携帯端末は、開状態から全開状態へと変化すると、前記第２ディスプレイに表示していた各関連アイコンを非表示にする。従って、ユーザは、いずれかの関連アイコンを選択し、各関連アイコンの表示が不要になったときに、この携帯端末を全開状態へと変化させるだけで、各関連アイコンを非表示にできる。
（１８）本発明に係る携帯端末の第１筐体に配置された第１ディスプレイ及び第２筐体に配置された第２ディスプレイは、例えば、実施の形態に係る携帯電話機１００の第１筐体に配置された第１ディスプレイ１１０及び第２筺体に配置された第２ディスプレイ１２０に相当する。また、本発明に係る携帯端末の検出部、実行部及び表示制御部は、例えば、実施の形態に係る携帯電話機１００の検出部１４１、実行部１４２及び表示制御部１４３に相当する。
【産業上の利用可能性】
【００９９】
本発明に係る携帯端末は、複数のディスプレイに画像を表示させて使用する場合に利用される。
【符号の説明】
【０１００】
１    第１筐体
２    第２筐体
３    アーム
４    レシーバ
５    マイク
６    磁石
７、８    磁気センサ
１００    携帯電話機
１１０    第１ディスプレイ
１１１、１２１    ＬＣＤ
１１２、１２２    タッチパッド
１１３、１２３    コントローラ
１２０    第２ディスプレイ
１３０    記憶部
１３１    計時部
１４０    制御部
１４１    検出部
１４２    実行部
１４３    表示制御部
【図１】
2013074408.tif 000003
【図２】
2013074408.tif 000004
【図３】
2013074408.tif 000005
【図４】
2013074408.tif 000006
【図５】
2013074408.tif 000007
【図６】
2013074408.tif 000008
【図７】
2013074408.tif 000009
【図８】
2013074408.tif 000010
【図９】
2013074408.tif 000011
【図１０】
2013074408.tif 000012
【図１１】
2013074408.tif 000013
【図１２】
2013074408.tif 000014